(57)【要約】【課題】サイド部分としての使用に耐えうるシール強度と、比較的容易に破断できるシール強度とが両立したサイドシール部分を有することで、サイドシール部分の使い勝手が向上した、パンツタイプ吸収性物品を提供すること。【解決手段】ウエスト開口部と、脚開口部と、サイドシール部とを形成したパンツタイプ吸収性物品において、サイドシール部は、ウエスト開口部から脚開口部にかけて、上部領域、中間部領域、及び下部領域に分かれ、上部領域及び下部領域における各領域のシール面積率が、５０パーセント以上８０パーセント以下であり、中間部領域におけるシール面積率が２０パーセント以上５０パーセント未満であり、上部領域及び下部領域の長手方向の平均剥離強度が略同一であり、中間部領域の長手方向の平均剥離強度が、上部領域及び下部領域の平均剥離強度よりも低いこと、とするパンツタイプ吸収性物品。【選択図】図１
2018000477.tif 000002
【特許請求の範囲】
【請求項１】
腹側部と背側部の上部にウエスト開口部を形成し、前記腹側部と前記背側部との間の股部の両側に脚開口部を形成したパンツタイプ吸収性物品であって、
前記パンツタイプ吸収性物品は、前記腹側部の両側縁部と前記背側部の両側縁部とを互いに重ね合わせて接合部を形成したサイドシール部を有し、
前記サイドシール部は、前記ウエスト開口部から前記脚開口部にかけて、上部領域、中間部領域、及び下部領域に分かれ、
前記上部領域及び前記下部領域における各領域のシール面積率が、５０パーセント以上８０パーセント以下であり、
前記各中間部領域におけるシール面積率が２０パーセント以上５０パーセント未満であり、
前記上部領域及び前記下部領域の各領域の長手方向の平均剥離強度が略同一であり、
前記各中間部領域の長手方向の平均剥離強度が、前記上部領域及び前記下部領域の各領域の平均剥離強度よりも低いこと、
を特徴とするパンツタイプ吸収性物品。
【請求項２】
前記上部領域及び前記下部領域の各領域の長手方向の平均剥離強度が、１０Ｎ／５ｍｍ幅以上１５Ｎ／５ｍｍ幅以下であることを特徴とする請求項１に記載のパンツタイプ吸収性物品。
【請求項３】
前記各中間部領域の長手方向の平均剥離強度が、５Ｎ／５ｍｍ幅以上８Ｎ／５ｍｍ幅以下であることを特徴とする請求項１又は請求項２に記載のパンツタイプ吸収性物品。
【請求項４】
前記上部領域及び前記下部領域の各領域のシールパターンの単位形状が矩形であり、前記各中間部領域のシールパターンの単位形状が円形であることを特徴とする請求項１から請求項３のいずれか１項に記載のパンツタイプ吸収性物品。
【発明の詳細な説明】
【技術分野】
【０００１】
本発明は、使用後にパンツのサイド部分を破断させて破棄する際、破断しやすいパンツタイプ吸収性物品に関する。
【背景技術】
【０００２】
一般的に、乳幼児用のパンツタイプのおむつは、子供が一人でトイレに行き排泄できるようになるまでの補助として、子供に穿かせるものである。ここで、子供は活発に動くことから、パンツタイプのおむつは、ウエストや脚の開口部に弾性部材を用いて、漏れやずれがおきにくく、脱げたり破れたりしにくいように設計されている。
【０００３】
一方で、従来のパンツタイプ吸収性物品は、サイド部分を破断させることにより、着用者を立たせたまま衣服を完全に脱がせることなく、当該吸収性物品を脱がせることができるようにも設計されている。特に、着用者が子供の場合、子供がじっとしていない最中でも、母親が手際よくサイド部分を破断させて脱がすことができるように、サイド部分を比較的容易に破断できるシール強度にする必要がある。
【０００４】
ここで、サイド部分の破断のしやすさに対処した発明として、特許文献１には、パンツタイプ吸収性物品であって、サイド部分に特定形状の第１及び第２シール部分を設けたパンツタイプ吸収性物品が開示されている。
【０００５】
また、特許文献２には、パンツタイプ吸収性物品であって、サイド部分のシールの融着強度を、５Ｎ／３０ｍｍ以上４０Ｎ／３０ｍｍ以下とするパンツタイプ吸収性物品が開示されている。
【０００６】
また、特許文献３には、パンツタイプ吸収性物品であって、サイド部分の領域ごとにシールの長さを変化させるパンツタイプ吸収性物品が開示されている。
【先行技術文献】
【特許文献】
【０００７】
【特許文献１】特開２００３−１４４４９４号公報
【特許文献２】特開２０１０−１１９５７８号公報
【特許文献３】特開２０１０−２２０７８３号公報
【発明の概要】
【発明が解決しようとする課題】
【０００８】
しかしながら、特許文献１の発明は、サイド部分を破断する際にゴムなどの弾性部材が不用意に跳ね返って手に当たるのを防止できるように破断しやすくしているが、一方で、サイド部分のシール強度は、着用時に不意に破れないように一定の強度にする必要がある。また、特許文献２又は特許文献３の発明については、シールの融着強度又はシールの長さを規定することで破断しやすくしているが、一方で、使用にも耐えうるシール強度にする必要がある。
【０００９】
したがって、本発明は、サイド部分としての使用に耐えうるシール強度と、比較的容易に破断できるシール強度とが両立したサイドシール部分を有することで、サイドシール部分の使い勝手が向上した、パンツタイプ吸収性物品を提供することを目的とする。
【課題を解決するための手段】
【００１０】
本発明の発明者は、上記課題に鑑み、鋭意研究を行った。その結果、ウエスト開口部と、脚開口部と、サイドシール部とを形成したパンツタイプ吸収性物品において、サイドシール部が所定の領域において所定の強度を備えることにより、上記課題を解決できることを見出し、本発明を完成するに至った。
【００１１】
（１）  本発明の第１の態様は、腹側部と背側部の上部にウエスト開口部を形成し、上記腹側部と上記背側部との間の股部の両側に脚開口部を形成したパンツタイプ吸収性物品であって、上記パンツタイプ吸収性物品は、上記腹側部の両側縁部と上記背側部の両側縁部とを互いに重ね合わせて接合部を形成したサイドシール部を有し、上記サイドシール部は、上記ウエスト開口部から上記脚開口部にかけて、上部領域、中間部領域、及び下部領域に分かれ、上記上部領域及び上記下部領域における各領域のシール面積率が５０パーセント以上８０パーセント以下であり、上記各中間部領域におけるシール面積率が２０パーセント以上５０パーセント未満であり、上記上部領域及び上記下部領域の各領域の長手方向の平均剥離強度が略同一であり、上記各中間部領域の長手方向の平均剥離強度が、上記上部領域及び上記下部領域の各領域の平均剥離強度よりも低いこと、を特徴とするパンツタイプ吸収性物品である。
【００１２】
（２）  本発明の第２の態様は、（１）に記載のパンツタイプ吸収性物品であって、上記上部領域及び上記下部領域の各領域の長手方向の平均剥離強度が、１０Ｎ／５ｍｍ幅以上１５Ｎ／５ｍｍ幅以下であることを特徴とするものである。
【００１３】
（３）  本発明の第３の態様は、（１）又は（２）に記載のパンツタイプ吸収性物品であって、上記各中間部領域の長手方向の平均剥離強度が、５Ｎ／５ｍｍ幅以上８Ｎ／５ｍｍ幅以下であることを特徴とするものである。
【００１４】
（４）  本発明の第４の態様は、（１）から（３）のいずれかに記載のパンツタイプ吸収性物品であって、上記上部領域及び上記下部領域の各領域のシールパターンの単位形状が矩形であり、上記各中間部領域のシールパターンの単位形状が円形であることを特徴とするものである。
【発明の効果】
【００１５】
本発明においては、サイドシール部の上部領域及び下部領域の各領域のシール面積率を、各中間部領域のシール面積率より高くし、更に、各中間部領域の長手方向の平均剥離強度を、上部領域及び下部領域の各領域の長手方向の平均剥離強度より低くした。このため、サイドシール部における使用に耐えうるシール強度を、上部領域及び下部領域の各領域で発揮させることができ、また、比較的容易に破断できるシール強度を各中間部領域で発揮させることができる。これにより、サイドシール部における使用に耐え、かつ、ある程度容易に破断できるようになり、サイドシール部分の使い勝手を向上させることができる。
【図面の簡単な説明】
【００１６】
【図１】（ａ）は、本発明のパンツタイプ吸収性物品の斜視図であり、腹側からみた様子を示す。（ｂ）は、実線太枠で囲ったサイドシール部の一実施例の拡大正面図である。
【図２】本発明のパンツタイプ吸収性物品におけるサイドシール部の剥離強度を測定する際の手順の概略図である。（ａ）は本発明のパンツタイプ吸収性物品の平面図を示す。（ｂ）、（ｃ）、及び（ｄ）は、それぞれ、破線の楕円で囲ったサイドシール部の正面図、側面図、及び拡大側面図を示す。
【図３】本発明のパンツタイプ吸収性物品におけるサイドシール部の上部領域、中間部領域、及び下部領域の長手方向の剥離強度の測定結果の一例である。
【図４】（ａ）は本発明のパンツタイプ吸収性物品におけるサイドシール部の実施例の一例であり、（ｂ）は上記サイドシール部の比較例の一例である。
【発明を実施するための形態】
【００１７】
以下、本発明の実施形態に係るパンツタイプ吸収性物品１について説明する。
【００１８】
＜パンツタイプ吸収性物品＞
図１（ａ）は、本発明のパンツタイプ吸収性物品１の斜視図であり、腹側から見た様子を示す。パンツタイプ吸収性物品１は、着用者の股間部を前後から覆う前後方向に細長い形態を有する吸収性本体と、吸収性本体の外側に重なりつつ吸収性本体の周囲に延びてパンツタイプ吸収性物品１の外形形状を構成する外装体１０と、を有している。そして、図１（ａ）に示すように、外装体１０よりその外形形状が構成されるパンツタイプ吸収性物品１は、大きく分けると、着用者の腹部に当接する腹側部１４、着用者の背部に当接する背側部１６、及び着用者の股間部に当接するように腹側部１４と背側部１６を繋ぐ股部１５に区分され、上部にウエスト開口部１２が形成され、股部１５の両側に脚開口部１３が形成され、腹側部１４の両側縁部と背側部１６の両側縁部とを互いに重ね合わせて接合部を形成したサイドシール部１７とが形成されている。
【００１９】
［吸収性本体］
吸収性本体は、液透過性のトップシートと、液不透過性のバックシートと、トップシート及びバックシートの間に配置される吸収体とから構成される。
【００２０】
（トップシート）
トップシートは、体液が吸収体へと移動するような液透過性を備えた基材から形成すればよく、例えば、サーマルボンド不織布、スパンボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、あるいは、これらを積層した複合シートといった材料から形成される。また、トップシートには、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシートには、ローション、酸化防止剤、抗炎症成分、ｐＨ調整剤、抗菌剤、保湿剤等を含有させてもよい。さらに、強度及び加工性の点から、トップシートの坪量は、１８ｇ／ｍ２以上４０ｇ／ｍ２以下であることが好ましい。トップシートの形状としては特に制限はないが、漏れがないように体液を吸収体へと誘導するために必要とされる、吸収体を覆う形状であればよい。
【００２１】
（バックシート）
バックシートは、吸収体が保持している体液が衣類を濡らさないような液不透過性を備えた基材を用いて形成すればよく、樹脂フィルムや、樹脂フィルムと不織布とを積層した複合シートといった材料から形成される。複合シートに用いられる不織布としては、製法を特に限定せず、例えば、スパンボンド不織布やメルトブロー不織布、あるいは、スパンボンド／メルトブロー、スパンボンド／メルトブロー／スパンボンドを積層した複合不織布及びこれらの複合材料が挙げられる。また、樹脂フィルムとしては、例えば、ポリエステル、ポリビニルアルコール、ポリエチレン、ポリプロピレン、ポリエチレンとポリプロピレンの複合フィルム等が挙げられる。さらに、強度及び加工性の点から、バックシートの坪量は、１５ｇ／ｍ２以上４０ｇ／ｍ２以下であることが好ましい。また、装着時の蒸れを防止するため、バックシートは、通気性を持たせることが好ましい。バックシートに通気性を備えさせるためには、例えば、基材の樹脂フィルムにフィラーを配合したり、バックシートにエンボス加工を施したりすればよい。なお、フィラーとしては炭酸カルシウムを挙げることができ、その配合方法は、公知の方法を制限なく行うことができる。
【００２２】
（吸収体）
吸収体は、基材としての吸収性繊維と、高吸水性ポリマー（ＳＡＰ）と、を含有することが好ましい。吸収性繊維は、一般に生理用ナプキンやおむつ、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。フラッフパルプとしては、木材パルプ、合成繊維、ポリマー繊維、非木材パルプ等を綿状に解繊したものを挙げることができる。吸収体の吸収性繊維は、吸収性能及び肌触りを損なわないよう、１００ｇ／ｍ２以上８００ｇ／ｍ２以下の坪量とすることが好ましい。
【００２３】
吸収体の高吸水性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。吸収体のＳＡＰ量は、吸収性能及び肌触りを損なわないよう、５０ｇ／ｍ２以上５００ｇ／ｍ２以下の坪量とすることが好ましく、１５質量％以上５０質量％以下の含有量とすることが好ましい。
【００２４】
吸収体において、吸収性繊維及びＳＡＰの形態は、吸収性繊維中にＳＡＰ粒子を混合して形成したもの、あるいは、親水性基材間にＳＡＰ粒子を固着したＳＡＰシートとしたものであることが好ましい。また、ＳＡＰ粒子の漏洩防止や吸収体の形状の安定化の目的から、吸収体をキャリアシートに包むことが好ましい。キャリアシートの基材としては親水性を有するものであればよく、ティシュ、吸収紙、エアレイド不織布等の親水性不織布を挙げることができる。キャリアシートを複数備える場合は、キャリアシートの基材は同一のものであっても異なるものであってもよい。
【００２５】
［外装体］
外装体１０は、パンツタイプ吸収性物品１の外形形状を構成し、ウエスト開口部１２、脚開口部１３、及びサイドシール部１７を形成する外装シート１１から構成される。
【００２６】
（外装シート）
外装シート１１は、股部１５を中心としてほぼ対称に腹側部１４と背側部１６が配置されている。そして、外装シート１１は、腹側部１４と背側部１６が対称となるように股部１５で二つ折りにされ、上記腹側部１４の両側縁部と上記背側部１６の両側縁部とが互いに重なり合って接合部を形成したサイドシール部１７で接続されている。これにより、外装シート１１は、伸縮性のウエスト開口部１２と、一対の脚開口部１３とを形成し、パンツタイプ吸収性物品１を全体として着脱可能なパンツ状に構成する。そして、パンツタイプ吸収性物品１を着用すると、腹側部１４が着用者の腹側で腹部、腰部、及び股間部を、背側部１６が着用者の背側で背部、腰部、及び股間部を、股部１５が着用者の股間部を覆うようになっている。
【００２７】
外装シート１１は、サーマルボンド不織布、スパンボンド不織布等の不織布であって、ポリプロピレン、ポリエステル、ポリエチレン等の熱可塑性樹脂からなる不織布を用いることができる。これらの不織布を用いる場合、その坪量は、１８ｇ／ｍ２以上４０ｇ／ｍ２以下とすればよい。
【００２８】
（サイドシール部）
本発明のパンツタイプ吸収性物品１は、腹側部１４の両側縁部と背側部１６の両側縁部とを互いに重ね合わせて接合部を形成したサイドシール部１７を有している。図１（ｂ）に示すように、サイドシール部１７は、ウエスト開口部１２から脚開口部１３にかけて、上部領域２１、中間部領域２２、及び下部領域２３に分かれている。そして、サイドシール部１７の上部領域２１、中間部領域２２、及び下部領域２３の各領域は、ウエスト開口部１２から脚開口部１３までのサイドシール部１７の長手方向の全長に対して、ウエスト開口部１２からサイドシール部１７の長手方向の全長の３０パーセント以内の長さの領域に上部領域２１と、上記上部領域２１からサイドシール部１７の長手方向の全長の５０パーセント以内の長さの領域に中間部領域２２と、上記中間部領域２２から上記脚開口部１３にかけてサイドシール部１７の長手方向の全長の２０パーセント以内の長さの領域に下部領域２３とを有する。なお、ウエスト開口部１２から脚開口部１３までのサイドシール部１７の長手方向の全長は特に制限はないが、例えば、８０ｍｍ以上２２０ｍｍ以下とすることができる。また、ウエスト開口部１２から脚開口部１３までのサイドシール部１７の幅方向の全長は特に制限はないが、例えば、３ｍｍ以上２０ｍｍ以下とすることができる。
【００２９】
（（シール面積率の算出方法））
サイドシール部１７は、腹側部１４の両側縁部と背側部１６の両側縁部とを互いに重ね合わせて接合部を形成するようにシールされている。サイドシール部１７における上部領域２１、中間部領域２２、及び下部領域２３の各領域のシール面積率は、［（サイドシール部１７における上部領域２１、中間部領域２２、又は下部領域２３の各領域のシール面積）／（対応するサイドシール部１７における上部領域２１、中間部領域２２、又は下部領域２３の各領域の全面積）］×１００の計算式によって算出する。
【００３０】
サイドシール部１７における上部領域２１及び下部領域２３の各領域のシール面積率は、５０パーセント以上８０パーセント以下であることが好ましく、５０パーセント以上６０パーセント以下であることがより好ましい。サイドシール部１７における各中間部領域２２のシール面積率は、２０パーセント以上５０パーセント未満であることが好ましく、２５パーセント以上３５パーセント以下であることがより好ましい。
【００３１】
（（平均剥離強度の測定方法））
サイドシール部１７における上部領域２１、中間部領域２２、及び下部領域２３の各領域の平均剥離強度は、テンシロン引張試験機を用いて測定する。測定方向は、シール部分の連続した挙動を確認するために、サイドシール部１７を長手方向に剥離する測定を行う。測定手順は、まず、図２（ａ）に示すように、ウエスト開口部１２から脚開口部１３にかけてのサイドシール部１７を切り取る。つぎに、図２（ｂ）及び（ｃ）に示すように、切り取ったサイドシール部１７の上部１５ｍｍを手で剥がす。次に、図２（ｄ）に示すように、手で剥がしたサイドシール部１７の上部の左右１５ｍｍずつのうち、テンシロン引張試験機のチャック部の左右に１０ｍｍずつを挟む。最後に、剥離速度を３００ｍｍ／ｍｉｎにして測定をする。なお、測定結果は、手で剥がしたサイドシール部１７の上部の左右１５ｍｍ以降の結果を用いる。剥離強度の測定結果の一例は、図３のとおりである。
【００３２】
サイドシール部１７における上部領域２１及び下部領域２３の各領域の平均剥離強度は、１０Ｎ／５ｍｍ幅以上１５Ｎ／５ｍｍ幅以下であることが好ましく、１０Ｎ／５ｍｍ幅以上１２Ｎ／５ｍｍ幅以下であることがより好ましい。サイドシール部１７における上部領域２１の平均剥離強度が１０Ｎ／５ｍｍ幅の場合、パンツタイプ吸収性物品１を装着させるときに、ウエスト開口部１２を拡げるために必要な強度もたらすことができる。また、サイドシール部１７における下部領域２３の平均剥離強度が１０Ｎ／５ｍｍ幅の場合、着用者が脚開口部１３から脚を出して脚を動かすために必要な強度をもたらすことができる。また、サイドシール部１７における上部領域２１又は下部領域２３の平均剥離強度が１５Ｎ／５ｍｍ幅である場合、比較的容易に破断できるシール強度となる。
【００３３】
サイドシール部１７における各中間部領域２２の平均剥離強度は、５Ｎ／５ｍｍ幅以上８Ｎ／５ｍｍ幅以下であることが好ましく、６Ｎ／５ｍｍ幅以上７Ｎ／５ｍｍ幅以下であることがより好ましい。サイドシール部１７における中間部領域２２の平均剥離強度が５Ｎ／５ｍｍ幅の場合、パンツタイプ吸収性物品１を装着させる時や着用時に不意に破れないようにするために必要な強度をもたらすことができる。また、サイドシール部１７における中間部領域２２の平均剥離強度が８Ｎ／５ｍｍ幅の場合、通常破断させる時にウエスト開口部１２から破断させるが、中間部領域２２を比較的容易に破断させることができる。
【００３４】
（（シールパターン））
サイドシール部１７における上部領域２１及び下部領域２３の各領域のシールパターンの単位形状は、特に制限はなく、例えば、線状、三角形、矩形、菱形、台形、その他の多角形、円形、楕円形又はそれらの組み合わせ等であってもよく、矩形であることが好ましい。また、サイドシール部１７における各中間部領域２２のシールパターンの単位形状は、例えば、線状、三角形、矩形、菱形、台形、その他の多角形、円形、楕円形又はそれらの組み合わせ等であってもよく、円形であることが好ましい。
【００３５】
（（シール方法））
サイドシール部１７における上部領域２１、中間部領域２２、及び下部領域２３の各領域のシール方法は、ウルトラソニック方式又はヒートシール方式のどちらでも良い。より好ましいのは、シール部分の柔らかさの観点から、ウルトラソニック方式である。
【実施例】
【００３６】
以下の実施例により本発明をさらに具体的に説明する。なお、本発明はその要旨を超えない限り、以下の実施例の記載に限定されるものではない。
【００３７】
＜実施例１＞
サイドシール部における上部領域、中間部領域、及び下部領域の各領域のシールパターンは、図４（ａ）の実施例パターンに示すように、上部領域及び下部領域の各領域のシールパターンの単位形状は矩形とし、各中間部領域のシールパターンの単位形状は円形とした。そして、表１に示すように、サイドシール部における上部領域及び下部領域の各領域のシール面積率は６０パーセントとし、各中間部領域のシール面積率は３０パーセントとした。
【００３８】
（官能評価）
２０名に、各サンプルのサイドシール部を長手方向に破断させる操作を行わせ、「破断しやすい」か否かで破断しやすさの評価を選択させた。表２には、「破断しやすい」の評価が１４人以上２０人以下のときを「○」、「破断しやすい」の評価が７人以上１３人以下のときを「△」、「破断しやすい」の評価がいないか、１人以上６人以下のときを「×」で表示した。
【００３９】
＜実施例２＞
実施例２においては、図４（ａ）及び表１に示すシールパターン、並びに表１に示すシール面積率で、サイドシール部を調製し、サイドシール部における上部領域、中間部領域、及び下部領域の各領域の平均剥離強度を測定し、破断しやすさの官能評価も行った。
【００４０】
＜比較例１及び比較例２＞
比較例１及び比較例２おいては、図４（ｂ）及び表１に示すシールパターン、並びに表１に示すシール面積率で、サイドシール部を調製し、サイドシール部における上部領域、中間部領域、及び下部領域の各領域の平均剥離強度を測定し、破断しやすさの官能評価も行った。
【００４１】
【表１】
2018000477.tif 000003
【００４２】
サイドシール部における各中間部領域のシール面積率は、実施例１及び実施例２では２０パーセント以上５０パーセント未満であるのに対して、比較例１及び比較例２では５０パーセント以上であった。そのため、官能評価において、比較例１及び比較例２では、「△」と「×」の評価を受けた。特に、実施例２と比較例１を比較すると、サイドシール部における上部領域及び下部領域の各領域のシール面積は、実施例２と比較例１はともに７０パーセントであるのに対して、各中間部領域のシール面積率は、実施例２では４０パーセントであり、比較例１では７０パーセントであったことから、官能評価に大きな違いがでたものと考えられる。
【００４３】
また、サイドシール部にける各領域のシールパターンは、実施例１及び実施例２では、図４（ａ）の実施例パターンに示すように、上部領域及び下部領域の各領域のシールパターンの単位形状が矩形であり、各中間部領域のシールパターンの単位形状が円形であるのに対して、比較例１及び比較例２では、図４（ｂ）の比較例パターンに示すように、上部領域、中間部領域、及び下部領域の各領域におけるシールパターンの単位形状が矩形であった。そのため、官能評価においては、比較例１及び比較例２では、「△」と「×」の評価を受けた。特に、実施例２と比較例１を比較すると、サイドシール部における各中間部領域のシール面積率が、実施例２では４０パーセントであるのに対して、比較例１では７０パーセントであったことに加えて、サイドシール部の各中間部領域のシールパターンの単位形状が、実施例２では円形であるのに対して、比較例１では矩形であった。そのため、サイドシール部のシールパターンの単位形状が円形であるか、矩形であるかによって、各中間部領域における平均剥離強度だけでなく、上部領域及び下部領域における各領域の平均剥離強度にも違いがあった。
【００４４】
以上、実施形態を用いて本発明を説明したが、本発明の技術的範囲は上記実施形態に記載の範囲には限定されないことは言うまでもない。上記実施形態に、多様な変更又は良を加えることが可能であることが、当業者には明らかである。また、その様な変更又は改良を加えた形態も本発明の技術的範囲に含まれ得ることが、特許請求の範囲の記載から明らかである。
【符号の説明】
【００４５】
１    パンツタイプ吸収性物品
１０  外装体
１１  外装シート
１２  ウエスト開口部
１３  脚開口部
１４  腹側部
１５  股部
１６  背側部
１７  サイドシール部
２１  上部領域
２２  中間部領域
２３  下部領域
【図１】
2018000477.tif 000004
【図２】
2018000477.tif 000005
【図３】
2018000477.tif 000006
【図４】
2018000477.tif 000007